(57)【要約】背もたれ部が背筋の潜在運動の促進をもたらす。背もたれ部は、重なり合って走っていてストラット（４）を介して接続されている２つの可撓性柱体ストラップ（２、３）で形成されている少なくとも１つの可動性要素（１）であって、ギャップを備えて椅子使用者の脊柱を辿っている可動性要素（１）で構成されている。この要素（１）は着座面の後端の中央から上方へ延びている。前部柱体ストラップは、中央の可動性要素（１）の両側からリブ（６）の様に側方に張り出している多数の可動性要素（６）であって各々が着座者の脊柱の両側の背部領域をもっぱら支持するための２つの横断条片（７、８）を有している可動性要素（６）、を担持している。このやり方で構築されている背もたれ部がもたれかかられる都度、それの接触面の運動が異なる方向に引き起こされ、それにより使用者の背筋のマッサージがもたらされる。【選択図】図３
2018531757.tif 000002
【特許請求の範囲】
【請求項１】
背筋の微妙な運動を促すための椅子又は座席用背もたれ部であって、前記背もたれ部が、着座面（５）の後端の中央から上方へ延びるように意図されていてこの目的のために前記椅子又は座席へ締結させることのできる２つの柱体ストラップ（２、３）から成る中央動力学的要素（１）と、前記中央動力学的要素（１）の両側からリブの様に側方へ張り出している多数の動力学的要素（６）であって、それぞれが、着座者の背筋を当人の背骨の両側の前部横断ストラップ（７）を手段として支持する２つの横断ストラップ（７、８）から成る、多数の動力学的要素（６）と、で構成されている、ということを特徴とする背もたれ部。
【請求項２】
請求項１に記載の背もたれ部において、前記背もたれ部が、前記着座面（５）の前記後端の前記中央から上方へ延びている中央動力学的要素（１）から成り、それは調節可能な抵抗を有して後方へ傾けることができるように実施されていて、その前部柱体ストラップ（２）は背骨のコースに追従するように曲げることができ、というのも、接続ウェブ（４）が関節運動方式で前記後部柱体ストラップ（３）に対し長手方向に変化可能又は調節可能であるように実施されているか、又は、前記柱体ストラップ（２、３）の向かい合う内面側での当該柱体ストラップ（２、３）へのそれらの連接が長手方向に変位可能な方式に実施されていて、その結果、それらは前記柱体ストラップ（２、３）の弛緩位置での距離を画定し、前記前部柱体ストラップ（２）はそれへの局所圧力に応えて前記接続ウェブ（４）の配列及び具体化に従って形状及び長さを変化させるようになっており、また、前記前部柱体ストラップ（２）の両側に起始して、複数の横断条片（７）が、前記着座者の前記背骨の両側で背部区分を支持するべくリブ（６）の様に一体成形され、何れもウェブ（９）を介して後部横断条片（８）へ接続されていて、当該後部横断ストラップ（８）自体は前記前部柱体ストラップ（２）又は前記後部柱体ストラップ（３）に一体成形されており、これらの接続ウェブ（９）もまた、関節運動方式で長手方向に変化可能又は調節可能であるように実施されているか、又は、前記横断条片（７、８）での当該横断条片（７、８）へのそれらの連接が長手方向に変位可能な方式に実施されていて、その結果、これらのウェブ（９）は前記横断ストラップ（７、８）の弛緩位置での距離を画定し、前記前部横断条片（７）はそれへの局所圧力に応えて前記接続ウェブ（９）の配列及び具体化に従って形状及び長さを変化させるからである、ということを特徴とする背もたれ部。
【請求項３】
請求項２に記載の背もたれ部において、前記前部柱体ストラップと前記後部柱体ストラップ（３）の間の前記接続ウェブ（４）は堅くて平坦なストラット（４）であり、当該ストラットは前記前部柱体ストラップ（２）と前記後部柱体ストラップ（３）の間で斜めに角度を成す方式で両端がその幅を横断して前記柱体ストラップへ関節運動方式に連接されていて、その結果、前記前部柱体ストラップ（４）の前記後部柱体ストラップ（３）に対する変位が、ストラップ方向への互いに対する相対変位並びに変形をもたらすということ、及び前記横断ストラップ（７、８）の間で前記ウェブ（９）は１回又は数回湾曲している弾性的に可撓性のウェブを形成しており、これらのウェブは前記横断ストラップ（２、３）の向かい合う内面の内側に両端を関節運動方式に締結されているということ、を特徴とする背もたれ部。
【請求項４】
請求項２に記載の背もたれ部において、前記接続ウェブ（４、９）の前記継手接続は、前記柱体ストラップ（２、３）又は前記横断ストラップ（７、８）に関する前記ウェブの少なくとも一方の締結側にてストラップ方向に変位可能な方式に実施されており、前記変位はボーデンケーブルを手段として調節することができるようになっている、ということを特徴とする背もたれ部。
【請求項５】
請求項２から請求項４の何れか一項に記載の背もたれ部において、前記接続ウェブ（４、９）の前記柱体ストラップ（２、３）又は前記横断ストラップ（７、８）との前記継手接続は、クリック接続として実施されていて、何れの場合も、弾性的に展開可能なボルトソケット（１１）を備え、その中へボルト（１２）をその進行方向に横断して、前記ボルトソケット（１１）を展開させることによってクリック留めすることができ、よって、前記接続ウェブ（４、９）は何らの工具も無しに交換できるようになっている、ということを特徴とする背もたれ部。
【請求項６】
請求項２から請求項４の何れか一項に記載の背もたれ部において、前記接続ウェブ（４、９）の前記柱体ストラップ（２、３）又は前記横断ストラップ（７、８）との前記継手接続は、クリック接続として実施されていて、それぞれが弾性的に展開可能なボルトソケット（１１）を備え、その中へボルト（１２）をその進行方向に横断して、前記ボルトソケット（１１）を展開させることによってクリック留めすることができ、よって、前記接続ウェブ（４、９）は何らの工具も無しに交換できるようになっており、前記ボルトソケット（１１）は、前記柱体ストラップ（２、３）又は前記横断ストラップ（７、８）の前記内面側に、それらの前記ストラップ方向に変位させることができるように配列されていて、どの変位位置にも固定させることができるようになっている、ということを特徴とする背もたれ部。
【請求項７】
請求項１から請求項６の何れか一項に記載の背もたれ部において、前記着座面（５）より下方で、前記後部柱体ストラップ（３）がその下端を前記椅子へ接続されており、当該後部柱体ストラップ（３）は、前記着座面（５）より下方で当該着座面（５）に向かって湾曲していて、前記椅子の側方から見て前記接続点に起始し、前記側方から見て着座者の臀部及び背部の外側形状の輪郭に沿う湾曲を形成しており、前記前部柱体ストラップ（２）は前記後部柱体ストラップ（３）に対し前記接続ウェブ（４）だけを介して保持されている、ということを特徴とする背もたれ部。
【請求項８】
請求項６に記載の背もたれ部において、前記前部柱体ストラップ（２）と前記後部柱体ストラップ（３）の間の少なくとも２つの接続ウェブ（４）の間には漸進的に作用する圧縮ばねとして空気クッションが設置されており、前記空気クッションは、弁を具備している接続点へ空気管で通じており、その結果、ポンプを手段として個別に選択可能な圧力で前記空気クッションを膨らませることができ、前記弁を介して空気を逃して前記柱体ストラップ（２、３）を個別に形状付けることができる、ということを特徴とする背もたれ部。
【請求項９】
請求項６に記載の背もたれ部において、前記前部柱体ストラップ（２）と前記後部柱体ストラップ（３）の間には少なくとも１つの鋼圧縮ばねが設置されている、ということを特徴とする背もたれ部。
【請求項１０】
請求項１から請求項９の何れか一項に記載の背もたれ部において、前記前部横断ストラップ（７）は、それらの前記着座面（５）に面している側に、それぞれ軟質弾性材料から成るパッド（１３）を具備している、ということを特徴とする背もたれ部。
【請求項１１】
請求項１乃至請求項２の何れか一項に記載の背もたれ部において、前記ストラット（４、９、１３、１７）のうちの幾つか又は全ては片側又は両側を前記条片の前記内面へ関節運動方式即ちヒンジ方式に連接されており、前記条片（２、３；７、８；１１、１２：１５，１６）の前記内面への前記関節運動式連接のヒンジ軸は、その長手方向に変位させることができるように配列されていて、各変位位置にロックさせることができるようになっている、ということを特徴とする背もたれ部。
【請求項１２】
請求項１１に記載の背もたれ部において、前記ストラップ（２、３；７、８）の前記内面に対する前記関節運動式連接の前記ヒンジ軸は、その前記長手方向に変位させることができるように配列されており、というのも、ボーデンケーブルがそれへ接続されていて、当該ボーデンケーブルは、前記ストラップ（２、３；７、８）の端区域で、当該場所に配列されている偏向ローラーを周って更なる偏向ローラーを経由してロック可能なレバー、調節ホイール、又は回転式ハンドルへ通じており、それらはどの変位位置にもロックさせることができるようになっているからである、ということを特徴とする背もたれ部。
【請求項１３】
請求項１乃至請求項２の何れか一項に記載の背もたれ部において、前記ストラット（４、９）の幾つか又は全ては、前記条片（２、３；７、８）の、それらを接続している前記内面へ、端部を連接されているガス圧力ばねとして実施されている、ということを特徴とする背もたれ部。
【請求項１４】
請求項１から請求項１３の何れか一項に記載の背もたれ部において、前記条片（２、３；７、８）とそれらのストラット（４、９）の間の空間は圧縮ばねとして作用する軟質弾性材料によって充填されている、ということを特徴とする背もたれ部。
【請求項１５】
請求項１から請求項１４の何れか一項に記載の背もたれ部において、それが着座面として実施されており、前記柱体ストラップが前記着座面に沿って真ん中を走り、前記横断ストラップがそれに座っている人の大腿部を収容するべく上方から見て凹状に走っており、前記上側の横断ストラップによって形成されている前記着座面と、前記背もたれ部の前記前部横断ストラップによって形成されている前記背もたれ部は、何れも、個々にゲルを充填される複数の区画へ分割されているカバークッションで覆われている、ということを特徴とする背もたれ部。
【発明の詳細な説明】
【技術分野】
【０００１】
[0001]本発明は、椅子又は座席へ取り付けられるようになっている背もたれ部であって、関数的で用途の定義された動力学的（phoronomic）要素を手段として着座者の背筋に微妙な運動を引き起こすという点で格段に改善された着座快適性を、特に継続する着座期間に亘って、提供する背もたれ部に関する。それは着座者の背部に完全に適合し、当人の運動によって背部区域の微妙な支持運動が引き起こされ、残りの身体部分にも波及する。動力学（phoronomy）とは、イマヌエル・カントによれば、物体の運動は所与の空間に対する前記物体の外的条件の変化である、を意味する。空間の運動は、身体の運動とは対照的に、純粋に動力学的であり即ちそれ自体に原動力は無い。
【背景技術】
【０００２】
[0002]人間特に勤労者にとって、座ることは、比較的近年の現象であり、本質的にはサービス社会の出現及びコンピュータの導入に伴って初めて普及していったという事実を背景に、座りは身体の姿勢として重要性が高まってきており、今日では膨大な数の人々が勤労日を着座して過ごしているせいで座りは公衆衛生に相応の影響を及ぼすようになってきた。ドイツには大凡８０００万の住民に対し合計４０億脚の椅子があり、つまり住民一人に椅子大凡５０脚ということになる。従って製品としての椅子は、誰にとっても馴染みのある重要な物であることは判っており、それが群を抜いて広く使用されているという理由のみをとっても、椅子は最大限の快適性を提供するべきであり、また健やかさと身体的健康を支援するべきである。
【０００３】
[0003]先行技術は多種多様な背もたれ部設計を備えた各種事務用椅子設計を獲得しており、それらはみな、所望の目標を満たすことを追求したものであり、つまりは千差万別の身体に適合するための椅子要素の可変調節、健康な身体姿勢、臀部の十分な血行、及び倦怠感の無い座り、を提供することを追求している。典型的な事務用椅子は、複数の脚又は水平リングを備えるシャーシを有しており、そこへ自在に案内されるローラーが取り付けられていて、椅子を基本的に全方向へ転がせられるようにしている。典型的な事務用椅子は、更に、安定した着座面と、本質的に殆どの場合は堅い背もたれ部と、を有している。着座面は、シャーシ上で垂直軸周りに回転させることができ、また高さ調節することはできるが本質的には不動であり、背もたれ部も同様である。それの高さ及び傾き角度は調節でき、殆どの場合は更にばね支持式に後方へ枢動できるようになっている。しかしながら、その様な椅子に座るということは、床に立てかけられ壁に支えられている一袋のジャガイモの様な気分がするものである。臀部と背部は殆ど動かされることがなく、血行と健やかさにとって有害である。
【０００４】
[0004]より人間工学的な事務用椅子モデルが、例えばドイツ特許第１０２００５０３３０５２号に開示されている。それは着座面が傾け装置上に配置されている着座用の家具を開示している。この傾け装置へは、環状管の空気クッションの形態をしているロック装置が、傾け運動の傾き角度を空気クッションを介して調節できるようなやり方で割り当てられている。或る見込まれる実施形態は、傾け運動の的を絞った不活動化を目的として個別に膨らませることのできる複数の空気クッションに関している。
【０００５】
[0005]同じものは米国特許第２００８００７９３０１号による着座用装置からも知られている。身体運動の知覚そして更には健康の知覚を高めるための装置が示されている。このシステムの方法論は、核心において、段落［０００４］のものと同一である。
【０００６】
[0006]ドイツ特許第２０２００８００６７８１Ｕ１号には、背もたれ部にその長手方向に延びる１つ又は複数のひれすじが設置されているという点で興味深い設計が示されている。ひれすじ要素は、２つのストラップの様な可撓性材料条片を互いに重ねて配列し、それら条片の端を互いへ固定接続するか又はそれぞれを支持体要素へ不動に締結して成るものである。これら２つの条片は、枢動できる方式又は撓むことのできる方式で条片の内面へ締結されているウェブを介して互いへ接続されており、これらのウェブは条片へそれに対し直交に締結されていることもあれば斜めに締結されていることもある。
【先行技術文献】
【特許文献】
【０００７】
【特許文献１】ドイツ特許第１０２００５０３３０５２号
【特許文献２】米国特許第２００８００７９３０１号
【特許文献３】ドイツ特許第２０２００８００６７８１Ｕ１号
【発明の概要】
【発明が解決しようとする課題】
【０００８】
[0007]この先行技術を基に、本発明の目的は、椅子又は座席のための背もたれ部がそれにもたれかかる着座者の微妙な運動を必ずしも当人がこれらの運動を直接知覚することなく引き起こすようやり方で、背もたれ部を更に発展させることである。椅子上で、運動に応えて同じ運動が誘導されるようにする。この背もたれ部が、座りを新たなレベルへ引き上げ、不活動的な座りから動的で刺激性の座りへと導き、背部の血行を促進させるようにする。背部が、より十分に保護され、また同時に動かされるようにする。その運動を臀部及び大腿部にも波及させる。
【課題を解決するための手段】
【０００９】
[0008]この目的は、背筋の微妙な運動を促すための椅子又は座席用背もたれ部であって、背もたれ部が、着座面の後端の中央から上方へ延びる２つの柱体ストラップから成る中央動力学的要素と、中央動力学的要素の両側からリブの様に側方へ張り出している多数の動力学的要素であって、それぞれが、着座者の背筋を当人の背骨の両側の前部横断ストラップを手段として支持する２つの横断ストラップから成る多数の動力学的要素と、で構成されている、ということを特徴とする背もたれ部によって解決される。
【００１０】
[0009]図はその様な動力学的要素の背もたれ部を備える椅子又は座席を示しており、その設計及びその機能は以下の記述中に説明され解説されている。
【図面の簡単な説明】
【００１１】
【図１】側方分岐式動力学的要素の様な中央動力学的要素の背もたれ部を備える椅子を側面図で示している。
【図２】動力学的要素の椅子の背もたれ部の、後部面を上方から或る角度で見た斜視図を示している。
【図３】単純であるが有効性の高い動力学的要素の背もたれ部の、後部面を上方から或る角度で見た斜視図を示している。
【図４】動力学的要素を備える椅子又は座席の着座面の説明図を示している。
【発明を実施するための形態】
【００１２】
[0010]背筋の微妙な運動を促すための事務用椅子が図１に側方から見て示されている。シャーシ、支持体１４、及び着座面５はここでは従来の方式で構築されており、椅子の比類稀な態様はその背もたれ部及び微妙な運動の誘導のためのその動力学的要素設計である。この目的のため、その様な動力学的要素１は、着座面５の背後の背もたれ部として、椅子の着座面５に座っている人の背骨に沿って、但し常に背骨から或る距離を隔てて、垂直方向上方へ延びている。運動学的要素１は、２つの柱条ストラップ２、３から成っており、これらのストラップの各々は、例えばプラスチック製、木製、又は金属シート製の平坦で弾性的に変形可能なストラップである。後部柱体ストラップ３は着座面５より下方に締結されていて、ここからまず後方へ走り、次いで、着座者の臀部及び背部の輪郭を模した側方輪郭を備えて上方へ走っている。但し、着座面より下の締結点を中心にその傾き具合をセットできるようになっていてもよい。
【００１３】
[0011]これら２つの柱体ストラップ２、３は接続ウェブ４を手段として数か所で互いへ接続されている。ここでは、これらの接続ウェブ４は、硬くて平坦な要素であり、両端を関節運動方式で柱体ストラップ２、３の内面へ接続されているが、見ての通り、互いに対して斜めに角度を成して走るように配列されている。前部柱体ストラップ２へ着座面側から圧力が作用すれば、後部柱体ストラップ３までの距離が縮み、同時に前部柱体ストラップ２が接続ストラット４の配列の幾何学に因り後部柱体ストラップ３に対して僅かに上方へ動く。椅子の使用者がこうして背もたれ部にもたれかかる都度、当人の背部のための支承面は僅かに上方へ動くので当人の背筋がマッサージされることになる。ここでは漸進的圧縮ばねの役目を果たす空気クッション１０が２つのストラット４の間に設置されている。背もたれ部を解放させると、而して後者はその初期状態へ再び復帰される。空気管が空気クッション１０から弁を具備する接続点へ通じていてもよく、そうするとポンプを手段に個別に選択可能な圧力で前記空気クッションを膨らませることができ、また弁を介して空気を逃がし柱体ストラップ２、３を個別に形状付けることもできる。言うまでもなく、複数のその様な分離された空気クッションを接続ウェブ４の間に設置することもできる。接続ウェブの長さ、その配列及び個数、そして個別空気クッションの充填圧力、を変えることによって、前部柱体ストラップ２の輪郭を使用者の特定の背部輪郭に適合させることができる。代替形として、少なくとも１つまた更には複数の鋼圧縮ばねを前部柱体ストラップ２と後部柱体ストラップ３の間に設置することもできる。
【００１４】
[0012]ここでは前側にある柱体ストラップ２では、それに対して横断方向に、複数の横断ストラップ６が中央の動力学的要素１から両側に向かってリブの様に分岐している。これらの横断ストラップ６もまた動力学的要素６であり、それぞれが前部横断ストラップ７と後部横断ストラップ８から成っている。これらの２つの横断ストラップ７、８は、それらの外側の端を共通の先端へとテーパさせて当該場所にて互いへ接続されているか、又はそれらは個々に１個体部品を形成している。反対側つまり内面側で、それらは中央動力学的要素１の前部柱体ストラップ２へ締結されている。
【００１５】
[0013]この背もたれ部の特別な設計は図２から得られるものであって、本図は特定の代替実施形態を詳細に開示している。それにより、背もたれ部は後部側を上方から或る角度で見た斜視図で描かれている。中央動力学的要素１は、前部柱体ストラップ２と、後部柱体ストラップ３と、からなっていることが分かるが、後部中央ストラップ３は、図１から分かる通り、下方に点線によって示されている様に続いている。これら２つの柱体ストラップ２と３は接続ウェブ４を手段として互いへ接続されている。これらの接続ウェブ４は、ここでは、平坦で堅い要素によって形成されていて、その各々には重量を節減するために中央穴が設けられている。これらの接続ウェブ４は両端が前部柱体ストラップ２又は後部柱体ストラップ３の内面へそれぞれ関節運動方式に接続されている。したがって、前方からの前部柱体ストラップ２への圧力が後部柱体ストラップ３までの距離を縮め、前部柱体ストラップ２が接続ウェブ４の配列の幾何学に因り僅かに上方へ動き、よって椅子へ固定的に取り付けられている後部柱体ストラップ３に対して上方へ変位する、ということが瞬時に明らかになる。リブの様に側方へ横断方向に分岐している動力学的要素６は前部柱体ストラップ２へ付着されている。それらは背もたれ部の実際の支承面を形成する。前部柱体ストラップ２が後部柱体ストラップ３に対して上方及び下方に動くと、横断方向に張り出しているリブも同じく動き、その結果、椅子に座っている人の背部のための支承面全体が僅かに上下に動かされ、特に当人が背もたれに再びもたれかかる都度、背もたれは僅かに上方に脱出する。この上方運動の程度は、支承圧力と、前部柱体ストラップ２と後部柱体ストラップ３の間の接続ウェブ４の寸法及び配列と、の関数である。一方で、リブもまた動力学的要素６として実施されている。それらは、各々、前部横断ストラップ７及び後部横断ストラップ８によって形成されている。これら２つの横断ストラップ７と８は複数の接続ウェブ９へ接続されている。示されている実施例では、それらは弾性的に可撓性の接続ウェブ９から成り、ウェブ９は各々がＳの形をしていて、横断ストラップ７、８の内面へ両端を関節運動式に締結されている。手元の事例では、これは、これらの接続ウェブ９がそれらの端に横断方向に突き出るボルト３２を有していて、それらボルトが対応するボルトソケット１１の中へクリック留めされる、というようなやり方で実現されている。これらのソケット１１は２つの略半円形ボルトソケットを形成していて、それらは弾性的に互いから離れるように展開可能であるので、接続ウェブ９のボルト１２をこれらのソケット１１の中へクリック留めすると、その後はソケット１１の中で前後に枢動させることができる。接続ウェブ９はこうして他の接続ウェブと容易に交換することができる。脱着と挿入を何れの工具も無しに素早く行える。
【００１６】
[0014]接続ウェブ４、９の継手接続は、ウェブの柱体ストラップ２、３又は横断ストラップ７、８に対する少なくとも一方のまた更には両方の締結側にてストラップ方向に変位可能となるように実施できる。例えば、ボルトソケット１１が、横断ストラップ７、８の内面側で長手方向に変位可能な方式に案内されるようになっていてもよい。この変位はボーデンケーブルを手段として調節できるようになっていて、ワイヤロープホイストが横断ストラップ７、８の端領域の偏向ローラーの周りを案内されボルトソケット１１を引っ張ってゆくようになっていてもよい。まさに着座位置にて、ボーデンケーブルは背もたれ部設計の内部の偏向ローラーを介して調節ホイールへ案内され、調節ホイールは異なる回転位置へ入れることができ、どの位置にもロックさせることができるようになっている。
【００１７】
[0015]前部横断ストラップ７は、ここでは重量を節減するために穴が設けられていて、それらの前面側には軟質の弾性パッド１３が具備されている。前部横断ストラップ７へ前から圧力が作用すると、ここではＳ字形状である接続ウェブ９が弾性的に僅かに変形し、同じく前部横断ストラップ７の後部横断ストラップ８に対する僅かな相対的変位が幾何学とそれらの配列のせいで生じ、結果としての力の作用の方向に依存して、後部横断ストラップ８が僅かばかり更に伸展するか又はこの目的で更に湾曲し、前部横断ストラップ７はそれらの端と共に前方又は後方に湾曲する。全体として、前部横断ストラップ７は、後ろへもたれかかる椅子の使用者の背部の輪郭に沿う。接触圧力によって誘導される前部横断ストラップ７の外又は内の方向への相対運動に因り、背筋もまたこの方向にマッサージされるが、但し極めてかすかにしか行われない。あらためてこの背もたれ部にもたれかかる都度、背もたれ部はこうして僅かに上方へ変位し、横断方向に張り出す横断ストラップ７は起こった事象に応じて外又は内へ僅かに変位する。全体として、低閾値の実際に微妙な殆ど知覚され得ないがなおも極めて有効な背筋マッサージが成し遂げられ、残りの身体部分に好ましい影響を与える。
【００１８】
[0016]図３は、同じく単純な設計を有している特に好都合な実施形態を示している。後部柱体ストラップ３はより頑丈でより堅いように実施されていて、より脆弱でより可撓性に実施されている前部柱体ストラップ２へ、関節運動方式に設置されている少なくとも３つのストラット４を介して接続されている。分岐していて、それ自体は個々に前部横断ストラップ７と後部横断ストラップ８から成っている動力学的要素７が、この前部柱体ストラップ上に取り付けられている。複数のＳ字形状の接続ウェブ９がそれらの間に設置されている。この背もたれ部設計は、後ろへもたれかかる椅子使用者にとって極めて動的で並外れて快適であることが判明している。後ろへもたれかかると、要素全てが調和的に作用し合い、微妙な運動をもたらすことによって背筋に沿うものであり、使用者の背骨の真後ろの区域は空いたままになっている。
【００１９】
[0017]背もたれ部の場合と同じか又は非常によく似たやり方での動力学的要素の使用は、随意的には着座面５についても着想される。この目的のため、図４は、提案されている支持体１４を有するその様な着座面の、下面前側から上面に対して或る角度で見た図を描いており、下面側にシャーシは描かれていない。この事例では、この着座面５に座っている人の軽微な体重移動は、着座面５を変位させ僅かにゆがませ、その結果微妙な運動が誘導されるという点において、着座面５の微妙な動的反作用をもたらすものであり、臀部区域及び大腿部の血行にとって有益である。大腿部はそれにより、ここでは上部横断ストラップによって形成されている凹状シェル内に位置付けられることになり、このシェル上に大腿部は落ち着き、一方で中央動力学的要素１が両脚の間を脚に沿って走り窪みを形成しており、窪みは臀部のために下方へ曲がっている。これらの輪郭は、接続ウェブ及びストラップ間のばねクッションを適合させることによって当人の外形に個別に適合させることができる。
【００２０】
[0018]その様なやり方で設計されているあなた方の椅子は、多種多様な椅子又は座席で使用することができる。広範な適用分野は事務用、作業用、及び娯楽用の椅子類であり、例えばテレビを見るのに使用されるものなどがある。但し、その様な背もたれ部は、基本的には、自家用車、トラック、配達用バン、バス、タクシーの様な車両、また更には船舶、列車、及び航空機、の様な移動体用途のための座席上にも設置することができ、何れかの他の椅子又は座席、例えば会議場又は映画館や劇場の座席又は椅子上に設置することもできる。どこに使用されようとそれは着座快適性及び健やかさを有意に向上させ、長い着座時間が必要とされる又は求められる場合においては特にそうである。
【符号の説明】
【００２１】
１  背もたれ部のための動力学的要素
２  動力学的要素の前部柱体ストラップ
３  動力学的要素の後部柱体ストラップ
４  動力学的要素のウェブ
５  着座面
６  横断リブ
７  横断ストラップの前部ストラップ
８  横断ストラップの後部ストラップ
９  横断リブのウェブ
１０  空気クッション
１１  ボルトソケット
１２  ボルト
１３  可撓性パディング
１４  支持体
【図１】
2018531757.tif 000003
【図２】
2018531757.tif 000004
【図３】
2018531757.tif 000005
【図４】
2018531757.tif 000006
【国際調査報告】
2018531757.tif 000007
2018531757.tif 000008
2018531757.tif 000009
2018531757.tif 000010